(57)【特許請求の範囲】
【請求項１】
外ケースと、該外ケース内に収納されたプリント配線基板と、前記外ケース内に収納されると共に、前記プリント配線基板の裏面側に一体化されて取り付けられ、前記プリント配線基板の裏面に接する環状の外周壁部を有するホルダー部材と、前記外ケース内に収納されると共に、前記ホルダー部材内に収納された釦型電池とを備え、前記ホルダー部材の前記外周壁部には、外周表面に沿って設けられた環状の溝部が形成され、該溝部内に送信用、或いは受信用のアンテナ線が巻き付けられ、前記ホルダー部材内に位置する前記プリント配線基板の表面側には第１電気部品が搭載されると共に、前記プリント配線基板の裏面側には第２電気部品が搭載され、前記ホルダー部材には、前記釦型電池を出し入れするための貫通孔と、前記第２電気部品を覆う遮蔽壁とが設けられ、前記釦型電池と接続される電極端子が前記ホルダー部材に覆われないように前記貫通孔内に配設され、前記第２電気部品が前記外周壁部と前記遮蔽壁とによって形成された空間部内に配設されたことを特徴とするキーレスエントリー装置の携帯機。
【請求項２】
前記第１電気部品、或いは、前記第２電気部品のうち、どちらか一方が送信用回路を形成するものであって、他方が受信用回路を形成するものであることを特徴とする請求項１記載のキーレスエントリー装置の携帯機。
【請求項３】
前記プリント配線基板の表面上には、導電パターンから成る送信用のアンテナ線が設けられると共に、前記ホルダー部材に巻き付けられた前記アンテナ線を受信用のアンテナとして用いたことを特徴とする請求項１、２のどちらかに記載のキーレスエントリー装置の携帯機。
【請求項４】
前記プリント配線基板の表面側には、送信用の前記第１電気部品が配設されると共に、前記プリント配線基板の裏面側には、受信用の前記第２電気部品が配設されることを特徴とする請求項３記載のキーレスエントリー装置の携帯機。
【発明の詳細な説明】
【０００１】
【発明の属する技術分野】
本発明は、特に、送・受信をすることができるパッシブエントリー装置に適用して好適なキーレスエントリー装置の携帯機に関する。
【０００２】
【従来の技術】
従来のキーレスエントリー装置の携帯機についての図面を説明すると、図３は、従来のキーレスエントリー装置の携帯機に係わり、エマージョンキーを取り除いた状態を示す断面図、図４は、従来のキーレスエントリー装置の携帯機に係わり、外ケースの第１ケースとアンテナ線とを示す斜視図である。
【０００３】
外ケース５１は、合成樹脂材料からなり、成形加工によって形成され、略箱形状の第１ケース７１と、第１ケース７１の前方側を覆う第２ケース７２と、第１ケース７１と第２ケース７２との内方に形成された空間部７３とを有している。
【０００４】
そして、第１ケース７１は、略矩形の後部壁７１ａと、後部壁７１ａの外周縁部から垂直に前方に延設され、四方を囲む側壁７１ｂと、一端が開放した状態で、後部壁７１ａの外表面とほぼ平行に後部壁７１ａに設けられた略矩形の穴部７１ｃと、側壁７１ｂの内径に設けられ、第１ケース７１の内方に突設された略環状の第１係合部７１ｄと、後部壁７１ａの内底面の所定の個所から垂直に延設された略円環状の収納壁部７１ｅと、後部壁７１ａの内底面から側壁７１ｂの近傍の位置でで突出すると共に、短手方向の各側壁７１ｂとほぼ平行に設けられた互いに対向する一対の巻付壁部７１ｆとを有している。
【０００５】
また、前記巻付壁部７１ｆは、略弓型を成すと共に、この巻付壁部７１ｆには、導通ピン７１ｊが埋設されて取り付けられて、前方に突出している。
【０００６】
また、第２ケース７２は、略矩形の前部壁７２ａと、前部壁７２ａの外周縁部から垂直に後方に延設され、四方を囲む側壁７２ｂと、側壁７２ｂの外面側に設けられ、第２ケース７２の外方に突設された略環状の第２係合部７２ｃと、前部壁７２ａの所定の個所に設けられた複数個（例えば、２個）の窓部７２ｄとを有している。
【０００７】
この第１ケース７１と第２ケース７２とは、第１係合部７１ｄと第２係合部７２ｃとがスナップ結合されて、一体化され、外ケース５１が形成されている。
【０００８】
プリント配線基板５２は、平板であって、矩形状に形成され、このプリント配線基板５２上の一方の面側（例えば、表面側）には、所定の形状の送信用の回路パターン（図示せず）が形成され、他方の面側（例えば、裏面側）には、所定のランドなどを除く、そのほぼ全域の面に絶縁コート（図示せず）が被着されている。
【０００９】
このプリント配線基板５２は、外ケース５１の空間部７３内に収納され、この状態のとき、プリント配線基板５２上の他方の面側（例えば、裏面側）に設けられたランド部（図示せず）と弾性を有する前記導通ピン７１ｊとが弾接されて、電気的に接続されている。
【００１０】
電気部品５３は、例えば、集積回路素子や、コンデンサ素子や、水晶振動素子などから成り、複数個の電気部品５３は、プリント配線基板５２の一方の面側（例えば、表面側）のみに搭載され、送信用回路のみを形成するように構成されると共に、プリント配線基板５２の回路パターン（図示せず）にそれぞれ半田付けなど適宜手段にて電気的に接続、及び配設されている。
【００１１】
押釦スイッチ５４は、略矩形体状の基体部５４ａと、基体部５４ａの前面から外方に突出している押釦５４ｂとを有している。この押釦スイッチ５４は、プリント配線基板５２上の一方の面側（例えば、表面側）の所定の半田ランドに半田付けされ、２個配設されている。この押釦スイッチ５４は、いわゆる前記電気部品５３のひとつを構成している。
【００１２】
アンテナ線５５は、例えば、絶縁被覆された銅線などの導電金属材料から成り、比較的細い線径と、比較的長い寸法とで構成されて、その両端部には先端導体部（図示せず）を有している。
このアンテナ線５５は、第１ケース７１の一対の巻付壁部７１ｆの外周表面７１ｇ上に複数回巻き回すようにされて形成され、各先端導体部（図示せず）が各導通ピン７１ｊの一方の端部に電気的に接続され、配設されている。
【００１３】
即ち、アンテナ線５５は、第１ケース７１の側壁７１ｂの近傍に位置した巻付壁部７１ｆに配設され、これによって、第１ケース７１とアンテナ線５５とは一体化され、このアンテナ線５５は、送信用のアンテナとして用いられる。
【００１４】
第１電極端子部材５６は、略ハの字状の第１電極端子（図示せず）と、第１電極端子に連結された接続部５６ａとを有している。
この第１電極端子部材５６は、第１ケース７１の収納壁部７１ｅの近傍に適宜手段にて配設されている。そして、接続部５６ａは、プリント配線基板５２の他方の面側（例えば、裏面側）の回路パターンに弾接されて、電気的に接続されている。
【００１５】
第２電極端子部材５７は、第２電極端子５７ａと、第２電極端子５７ａに連結された接続部５７ｂとを有している。
この第２電極端子部材５７は、プリント配線基板５２の他方の面側（例えば、裏面側）で、接続部５７ｂが、プリント配線基板５２の他方の面側（例えば、裏面側）の回路パターンに半田付けによって電気的に接続されて取り付けられている。
【００１６】
釦型電池５８は、円盤状であって、外周縁部が＋（プラス）電極で、一方の表面が−（マイナス）電極であるように形成され、この釦型電池５８は、第１ケース７１の収納壁部７１ｅ内に収納され、位置決めされている。
このとき、＋（プラス）電極が、第１電極端子部材５６の第１電極端子（図示せず）に弾接されると共に、−（マイナス）電極が、第２電極端子部材５７の第２電極端子５７ａに弾接されて、それぞれ電気的に接続されている。
【００１７】
防水部材５９は、例えば、弾性ゴム材料などから成り、略矩形状の前面壁５９ａと、前面壁５９ａの外周縁部から垂直に延設され、四方を囲む側壁５９ｂと、前面壁５９ａの所定の複数個所（例えば、２個所）から前方に突出する押圧部５９ｃと、前面壁５９ａの所定の複数個所から後方に突出する支持部５９ｄと、側壁５９ｂの開放端部側に設けられ、側壁５９ｂから垂直に外方に延設された鍔部５９ｅとを有している。
【００１８】
なお、２個の前記押圧部５９ｃの各表面には、ドアーのロック（クローズ）動作、及びアンロック（ロック解除：オープン）動作を示す各絵文字の表示が形成されている。
【００１９】
この防水部材５９は、外ケース５１の空間部７３内に配置され、鍔部５９ｅが第１ケース７１の後部壁７１ａの内底面と第２ケース７２の側壁７２ｂの開放端との間に圧接された状態で保持されると共に、各押圧部５９ｃが第２ケース７２の各窓部７２ｄ内に配設されて各押圧部５９ｃの表面が露出されている。  また、この状態のとき、プリント配線基板２は、前面壁５９ａと側壁５９ｂとに囲まれた内部に配設され、防水されて配置されている。
【００２０】
また、この状態のとき、各押圧部５９ｃの裏面側は、押釦スイッチ５４の押釦５４ｂの表面に近接されて配設されていると共に、複数個の支持部５９ｄがプリント配線基板５２上の一方の面側（例えば、表面側）に当接されて配設され、且つ、第１ケース７１の収納壁部７１ｅがプリント配線基板５２上の他方の面側（例えば、裏面側）に当接されて配設されている。即ち、プリント配線基板５２は支持部５９ｄと収納壁部７１ｅとによって位置決めされている。
【００２１】
上述の如く、このキーレスエントリー装置の携帯機は、送信用の信号処理機能のみを備えている。
【００２２】
次に、従来のキーレスエントリー装置の携帯機の動作について、簡単に説明する。
先ず、押釦スイッチ５４の操作に基ずく自動車のドアーのロック（クローズ）動作について説明すると、例えば、この携帯機を携帯した状態で、運転者が自動車から所定の距離内の位置で、外ケース５１の窓部７２ｄから露出している防水部材５９のロック動作用の押圧部５９ｃを押圧する。
【００２３】
このロック動作用の押圧部５９ｃが押圧されると、押釦スイッチ５４がオンとなり、このオン操作によって、携帯機の送信用のアンテナ５５から、ドアーのロック動作を行わせる所定の送信信号が送信される。
この所定の送信信号が、自動車の受信機にて受信されると、ドアーはロック動作が行われる。
【００２４】
次に、押釦スイッチ５４の操作に基ずく自動車のドアーのアンロック（オープン）動作は、アンロック動作用の押圧部５９ｃを押圧操作すると、この押圧部５９ｃに対向して位置する押釦スイッチ５４がオンとなり、このオン操作によって、携帯機の送信用のアンテナ５５から、ドアーのアンロック動作を行わせる所定の送信信号が送信される。
この所定の送信信号が、自動車の受信機にて受信されると、ドアーはアンロック動作が行われる。
【００２５】
【発明が解決しようとする課題】
しかしながら、従来のキーレスエントリー装置の携帯機は、アンテナ線５５が、第１ケース７１の側壁７１ｂに近接して設けられた一対の巻付壁部７１ｆの外周表面７１ｇ上を複数回巻き回すようにされて配設されていることから、狭小な場所での巻回作業を行うため、その巻回作業が面倒で、生産性が悪くなるという問題がある。
また、この携帯機は、電気部品がプリント配線基板の一方の面側のみに配設されていることから、スペースファクターが悪くなり、携帯機が大型化するという問題がある。
【００２６】
本発明のキーレスエントリー装置の携帯機は、上述の問題点を解決するもので、その目的は、アンテナ線の巻回作業が簡単で、生産性の良好な小型のキーレスエントリー装置の携帯機を提供する。
【００２７】
【課題を解決するための手段】
本発明のキーレスエントリー装置の携帯機は、外ケースと、該外ケース内に収納されたプリント配線基板と、前記外ケース内に収納されると共に、前記プリント配線基板の裏面側に一体化されて取り付けられ、前記プリント配線基板の裏面に接する環状の外周壁部を有するホルダー部材と、前記外ケース内に収納されると共に、前記ホルダー部材内に収納された釦型電池とを備え、前記ホルダー部材の前記外周壁部には、外周表面に沿って設けられた環状の溝部が形成され、該溝部内に送信用、或いは受信用のアンテナ線が巻き付けられ、前記ホルダー部材内に位置する前記プリント配線基板の表面側には第１電気部品が搭載されると共に、前記プリント配線基板の裏面側には第２電気部品が搭載され、前記ホルダー部材には、前記釦型電池を出し入れするための貫通孔と、前記第２電気部品を覆う遮蔽壁とが設けられ、前記釦型電池と接続される電極端子が前記ホルダー部材に覆われないように前記貫通孔内に配設され、前記第２電気部品が前記外周壁部と前記遮蔽壁とによって形成された空間部内に配設されたことである。
かかる構成によって、アンテナ線が、ホルダー部材の外周壁部に巻き回されていることから、広い場所での巻回作業が出来るので、その巻回作業が容易で、生産性の良好なキーレスエントリー装置の携帯機を提供できる。
【００２９】
また、本発明のキーレスエントリー装置の携帯機は、第１電気部品、或いは、第２電気部品のうち、どちらか一方が送信用回路を形成するものであって、他方が受信用回路を形成するものであることである。
かかる構成によって、電気部品がプリント配線基板の裏面側に搭載されていることから、プリント配線基板への電気部品の実装密度が高まり、小型化されたキーレスエントリー装置の携帯機を提供できる。
また、かかる構成によって、電気部品が外周壁部と遮蔽壁とによって形成された空間部内に配設されたことから、釦型電池を交換する際に、指が遮蔽壁によって遮蔽されているので直接電気部品に触れることが無くなり、電気部品の静電破壊を防止することができるキーレスエントリー装置の携帯機が提供できる。
【００３０】
また、本発明のキーレスエントリー装置の携帯機は、プリント配線基板の表面上には、導電パターンから成る送信用のアンテナ線が設けられると共に、ホルダー部材に巻き付けられたアンテナ線を受信用のアンテナとして用いたことである。
かかる構成によって、送・受信用のいわゆるパッシブエントリー装置（送・受信用装置）の携帯機として用いることが出来、携帯機の機能が向上すると共に、小型の携帯機が得られる。
【００３１】
また、本発明のキーレスエントリー装置の携帯機は、プリント配線基板の表面側には、送信用の第１電気部品が配設されると共に、プリント配線基板の裏面側には、受信用の第２電気部品が配設されることである。
かかる構成によって、送信用の電気部品と受信用の電気部品とが分離されて配設されているので、相互干渉が少なく、安定した性能品質のキーレスエントリー装置の携帯機を提供できる。
【００３２】
【発明の実施の形態】
以下、本発明のキーレスエントリー装置の携帯機の実施の形態についての図面を説明すると、図１は、本発明のキーレスエントリー装置の携帯機の実施の形態を示す分解斜視図、図２は、本発明のキーレスエントリー装置の携帯機の実施の形態に係わり、保持部材とエマージョンキーとを取り除いた状態を示す断面図である。
【００３３】
外ケース１は、合成樹脂材料からなり、成形加工によって形成され、略箱形状の第１ケース２１と、第１ケース２１の前方側を覆う第２ケース２２と、第１ケース２１と第２ケース２２との内方に形成された空間部２３とを有している。
【００３４】
そして、第１ケース２１は、略矩形の後部壁２１ａと、後部壁２１ａの外周縁部から垂直に前方に延設され、四方を囲む側壁２１ｂと、一端が開放した状態で、後部壁２１ａの外表面とほぼ平行に後部壁２１ａに設けられた略矩形の穴部２１ｃと、側壁２１ｂの内径に設けられ、第１ケース２１の内方に突設された略環状の第１係合部２１ｄと、後部壁２１ａの内底面の所定の個所から垂直に延設された略円環状の収納壁部２１ｅとを有している。
【００３５】
また、第２ケース２２は、略矩形の前部壁２２ａと、前部壁２２ａの外周縁部から垂直に後方に延設され、四方を囲む側壁２２ｂと、側壁２２ｂの外面側に設けられ、第２ケース２２の外方に突設された略環状の第２係合部２２ｃと、前部壁２２ａの所定の個所に設けられた複数個（例えば、２個）の窓部２２ｄとを有している。
【００３６】
この第１ケース２１と第２ケース２２とは、第１係合部２１ｄと第２係合部２２ｃとがスナップ結合されて、一体化され、この一体化によって外ケース１が形成されている。
【００３７】
プリント配線基板２は、平板であって、矩形状に形成され、このプリント配線基板２上の一方の面側（例えば、表面側）には、所定の形状の導電パターンから成る送信用のアンテナ線２ａと、所定の形状の送信用の第１回路パターン（図示せず）とが形成されていると共に、他方の面側（例えば、裏面側）には、同様に図示していないが、所定の形状の受信用の第２回路パターン（図示せず）が形成されている。
【００３８】
また、このプリント配線基板２には、第１、又は／或いは第２回路パターンに接続された複数個の半田ランド（図示せず）が形成されている。
このプリント配線基板２は、外ケース１の空間部２３内に収納され、位置決めされている。
【００３９】
電気部品３は、例えば、集積回路素子や、コンデンサ素子や、水晶振動素子などから成り、複数個の電気部品３は、プリント配線基板２の一方の面側（例えば、表面側）に搭載された送信用回路を形成する複数個の第１電気部品３ａと、他方の面側（例えば、裏面側）に搭載された受信用回路を形成する複数個の第２電気部品３ｂとによって構成されている。
【００４０】
また、第１電気部品３ａは、前記第１回路パターン（図示せず）の半田ランドに、そして、第２電気部品３ｂは、前記第２回路パターン（図示せず）の半田ランドにそれぞれ半田付けなど適宜手段にて電気的に接続、及び配設されている。
【００４１】
押釦スイッチ４は、略矩形体状の基体部４ａと、基体部４ａの前面から外方に突出している押釦４ｂとを有している。この押釦スイッチ４は、プリント配線基板２上の一方の面側（例えば、表面側）の所定の半田ランドに半田付けされ、２個配設されている。この押釦スイッチ４は、いわゆる前記電気部品３のひとつを構成している。
【００４２】
ホルダー部材５は、合成樹脂材料からなり、成形加工によって形成され、四角状である環状に形成された外周壁部５ａと、該外周壁部５ａの外周表面に沿って設けられた凹状の溝部５ｂと、該外周壁部５ａの後面側（裏面側）の約半面を塞ぐ遮蔽壁５ｃと、この後面側の残りの約半面に形成された貫通孔５ｄと、前面側（表面側）の全体が開放した開放端部５ｋと、外周壁部５ａと遮蔽壁５ｃとによって形成された空間部５ｍとを有している。
【００４３】
また、外周壁部５ａは、対向して配設された短手方向の一対の第１側壁５ｅと、この一対の第１側壁５ｅを連結し、対向して配設された長手方向の一対の第２側壁５ｆと、一対の第２側壁５ｆのそれぞれの略中央部から内方に突出する凸部５ｇとによって構成されている。
【００４４】
また、各凸部５ｇには、金属材料から成る導通ピン５ｈが溝部５ｂに至る状態で埋設されて取り付けられ、導通ピン５ｈが前方に突出している。
このホルダー部材５の導通ピン５ｈの一方の端部側が、プリント配線基板２の第２回路パターンの半田ランドに半田付けなどの適宜手段にて電気的、及び機械的に接続され、これによって、ホルダー部材５がプリント配線基板２の裏面側に一体化されて取り付けられている。このとき、第２電気部品３ｂは、遮蔽壁５ｃによって覆われると共に、開放端部５ｋがプリント配線基板２に当接されて配設されている。
【００４５】
また、このプリント配線基板２とホルダー部材５とは、第１、第２側壁５ｅ、５ｆと遮蔽壁５ｃとが、第１ケース２１の後部壁２１ａ上の所定の個所に当接されて、載置されている。即ち、プリント配線基板２とホルダー部材５とは、第１ケース２１内に収納されている。
【００４６】
アンテナ線６は、例えば、絶縁被覆された銅線などの導電金属材料から成り、比較的細い線径と、比較的長い寸法とで構成されて、その両端部には、各先端導体部（図示せず）を有している。
このアンテナ線６は、環状の溝部５ｂ内にホルダー部材５を複数回巻き回すようにされて形成され、各先端導体部（図示せず）が各導通ピン５ｈの溝部５ｂの内面側である他方の端部側に電気的に接続され、配設されている。これによって、ホルダー部材５とアンテナ線６とは一体化されている。
【００４７】
このアンテナ線６が巻き回されたホルダー部材５には、開放端部５ｋを塞ぐようにプリント配線基板２の他方の面（裏面側）が当接された状態に載置されている。このアンテナ線６は、受信用のアンテナとして用いられる。
【００４８】
また、この状態のとき、複数個の第２電気部品３ｂは、プリント配線基板２とホルダー部材５の遮蔽壁５ｃとの間に挟まれた空間部５ｍ内に配置されると共に、各第２電気部品３ｂが遮蔽壁５ｃによって、覆われて配設されている。
【００４９】
第１電極端子部材７は、弾性を有する導電板材から成り、略ハの字状の第１電極端子７ａと、第１電極端子７ａに連結された接続部７ｂとを有している。
この第１電極端子部材７は、第１ケース２１の収納壁部２１ｅの近傍に適宜手段にて配設されている。そして、接続部７ｂは、プリント配線基板２の他方の面側（例えば、裏面側）の回路パターンに弾接されて、電気的に接続されている。
【００５０】
第２電極端子部材８は、弾性を有する導電板材から成り、先端部が略Ｕの字状の第２電極端子８ａと、第２電極端子８ａに連結された接続部８ｂとを有している。
この第２電極端子部材８は、プリント配線基板２の他方の面側（例えば、裏面側）に適宜手段にて配設されている。そして、接続部８ｂは、プリント配線基板２の他方の面側（例えば、裏面側）の回路パターンに電気的に接続されている。
【００５１】
釦型電池９は、円盤状であって、外周縁部が＋（プラス）電極で、一方の表面が−（マイナス）電極であるように形成され、この釦型電池９は、第１ケース２１の収納壁部２１ｅ内に収納され、位置決めされている。
このとき、＋（プラス）電極が、第１電極端子部材７の第１電極端子７ａに弾接されると共に、−（マイナス）電極が、第２電極端子部材８の第２電極端子８ａに弾接されて、それぞれ電気的に接続されている。
【００５２】
また、収納壁部２１ｅ内に位置決めされた釦型電池９は、ホルダー部材５の貫通孔５ｄ内を貫通するようにして出し入れするように形成され、釦型電池９が貫通孔５ｄ内を貫通して、ホルダー部材５内に収納された状態で位置決めされている。
【００５３】
防水部材１０は、例えば、弾性ゴム材料などから成り、略矩形状の前面壁１０ａと、前面壁１０ａの外周縁部から垂直に延設され、四方を囲む側壁１０ｂと、前面壁１０ａの所定の複数個所（例えば、２個所）から前方に突出する押圧部１０ｃと、前面壁１０ａの所定の複数個所から後方に突出する支持部１０ｄと、側壁１０ｂの開放端部側に設けられ、側壁１０ｂから垂直に外方に延設された鍔部１０ｅとを有している。
【００５４】
なお、２個の前記押圧部１０ｃの各表面には、ドアーのロック（クローズ）動作、及びアンロック（ロック解除：オープン）動作を示す各絵文字の表示が形成されている。
【００５５】
この防水部材１０は、外ケース１の空間部２３内に配置され、鍔部１０ｅが第１ケース２１の後部壁２１ａの内底面と第２ケース２２の側壁２２ｂの開放端との間に圧接された状態で保持されると共に、各押圧部１０ｃが第２ケース２２の各窓部２２ｄ内に配設されて、各押圧部１０ｃの表面が露出されている。  また、この状態のとき、一体化されたプリント配線基板２とアンテナ線６が巻き付けられたホルダー部材５とは、前面壁１０ａと側壁１０ｂとに囲まれた内部に配設され、防水されて配置されている。
【００５６】
また、この状態のとき、各押圧部１０ｃの裏面側は、押釦スイッチ４の押釦４ｂの表面に近接されて配設されていると共に、複数個の支持部１０ｄがプリント配線基板２上の前面側（例えば、表面側）に当接されて配設され、且つ、第１ケース２１の収納壁部２１ｅの開放端がプリント配線基板２上の後面側（例えば、裏面側）に当接されて配設されている。これによって、プリント配線基板２が防水部材１０内に位置決めされている。
【００５７】
保持部材１１は、金属の平板材料から成り、矩形の基部１１ａと、基部１１ａから延設された一対の弾性を有する保持部１１ｂとを備えている。
この保持部材１１は、第１ケース２１の穴部２１ｃの開放部側に適宜手段にて取り付けられている。
【００５８】
エマージョンキー１２は、自動車（車両）のドアーのロック・アンロック、及び／又はイグニッションのオン・オフを機械的に行うために配設されている。
このエマージョンキー１２は、第１ケース２１の穴部２１ｃ内に挿入され、保持部材１１の保持部１１ｂによって、穴部２１ｃ内に保持された状態で配設されている。
【００５９】
上述の如く、このキーレスエントリー装置の携帯機は、送・受信用の信号処理機能を備え、外ケース１内に送信用のアンテナ線２ａと、受信用のアンテナ線６とが収納・配設されている。
【００６０】
次に、本発明のキーレスエントリー装置の携帯機の動作について、簡単に説明する。
先ず、自動車のドアーのロック動作について説明すると、自動車（図示せず）の運転者（図示せず）が、このキーレスエントリー装置の携帯機を携帯した状態で、自動車から少しずつ離れ、所定の距離内の位置では、自動車の送信機から送信される所定の送信信号がホルダー部材５に巻き付けられた受信用のアンテナ線６によって所定の信号強度をもって受信される。
【００６１】
受信された信号の強度が、受信用のアンテナ線６と受信用回路を形成する複数個の第２電気部品３ｂとによって所定の信号強度以上であることが判別されると、この判別された信号に基づいて、アンテナ線２ａと第１電気部品３ａとによって構成される送信用回路から所定の信号強度を有する送信信号がアンテナ線２ａから自動車に向かって送信される。
【００６２】
この携帯機からの送信信号が自動車の受信機にて受信される状態では、自動車のドアーはアンロック（オープン）状態であるように維持される。
【００６３】
次に、運転者（図示せず）が、このキーレスエントリー装置の携帯機を携帯した状態で、自動車から更に離れ、携帯機の受信用回路の受信範囲外である位置になると、自動車の送信機からの送信信号は、携帯機の受信用回路を構成するアンテナ線６にては、受信強度が所定の強度以下となり受信することができなくなる。アンテナ線６にて所定の受信強度が受信できなくなると、携帯機の送信用のアンテナ線２ａからの送信信号は、送信を行わなくなる。
【００６４】
送信用のアンテナ線２ａから送信が行われなくなると、自動車の受信機は、携帯機からの送信信号が受信できなくなり、携帯機を携帯した運転者が所定の距離以上、自動車から離れたと判別する。この判別が行われると、自動車のドアーは、アンロック状態からロック（クローズ）状態であるように動作し、その状態が維持される。
【００６５】
次に、自動車のドアーのアンロック動作について説明すると、自動車（図示せず）の運転者（図示せず）が、このキーレスエントリー装置の携帯機を携帯した状態で、自動車に少しずつ近づき所定の距離内に位置すると、自動車の送信機から送信される所定の送信信号が携帯機のホルダー部材５に巻き付けられた受信用のアンテナ線６によって所定の信号強度をもって受信される。
【００６６】
受信用のアンテナ線６に所定の信号強度の受信信号が受信されると、この携帯機の送信用のアンテナ線２ａから、所定の送信信号が送信され、この送信信号が自動車の受信機によって受信される。このように自動車の受信機が携帯機からの所定の送信信号を受信すると、携帯機を携帯した運転者が自動車から所定の距離内に位置したと自動車の受信機が判別し、この判別によって、自動車のドアーは、ロック（クローズ）状態が解除され、アンロック（オープン）状態となるように動作する。
【００６７】
上述の如く、本発明のキーレスエントリー装置の携帯機では、この携帯機と自動車との間の距離によって、携帯機と自動車との間で送・受信信号による信号処理が行われ、押圧部１０ｃの押圧操作をすることなくドアーのロック・アンロック動作を行うことができるように構成されている。
【００６８】
次に、本発明のキーレスエントリー装置の携帯機の押釦スイッチ４の操作、及び動作について、簡単に説明する。
【００６９】
先ず、押釦スイッチ４の操作に基ずく自動車のドアーのロック（クローズ）動作について説明すると、外ケース１の窓部２２ｄから露出している防水部材１０のロック動作用の押圧部１０ｃを押圧する。このロック動作用の押圧部１０ｃが押圧されると、押釦スイッチ４がオンとなり、このオン操作によって、携帯機の送信用のアンテナ２ａから、ドアーのロック動作を行わせる所定の送信信号が送信される。
この所定の送信信号が、自動車の受信機にて受信されると、ドアーはロック動作が行われる。
【００７０】
次に、押釦スイッチ４の操作に基ずく自動車のドアーのアンロック（オープン）動作は、アンロック動作用の押圧部１０ｃを押圧操作すると、この押圧部１０ｃに対向して位置する押釦スイッチ４がオンとなり、このオン操作によって、送信用のアンテナ線２ａから、ドアーのアンロック動作を行わせる所定の送信信号が送信される。
この所定の送信信号が、自動車の受信機にて受信されると、ドアーはアンロック動作が行われる。
【００７１】
次に、本発明のキーレスエントリー装置の携帯機の組立方法について、簡単に説明する。
【００７２】
先ず、プリント配線基板２上の前面側（例えば、表面側）に送信用回路を形成する複数個の第１電気部品３ａと押釦スイッチ４とを半田付けすると共に、後面側（例えば、裏面側）に受信用回路を形成する複数個の第２電気部品３ｂと第２電極端子部材８とを半田付けする。
【００７３】
次に、アンテナ線６が複数回巻き回わされたホルダー部材５の導通ピン５ｈをプリント配線基板２の第２回路パターンの半田ランドに半田付けしてプリント配線基板２にホルダー部材５を取り付ける。
この状態のとき、プリント配線基板２上の第２電気部品３ｂは、ホルダー部材５の外周壁部５ａと遮蔽壁５ｃとによって形成された空間部５ｍ内に配設され、第２電気部品３ｂが遮蔽壁５ｃによって覆われ、外部から容易に接触できないように保護される。
【００７４】
次に、第２ケース２２の開放端側が表面側に成るように位置決めし、第２ケース２２の空間部２３内に防水部材１０の開放端側が表面側に成るようにして収納・配設する。
【００７５】
次に、防水部材１０内に、各押釦スイッチ４が押圧部１０ｃの裏面側と対向するようにプリント配線基板２を収納する。この組立のとき、ホルダー部材５とアンテナ線６とは同時に防水部材１０内に収納されると共に、複数個の支持部１０ｄがプリント配線基板２の表面側にそれぞれ当接して、プリント配線基板２が支持される。
【００７６】
次に、第１ケース２１の収納壁部２１ｅ内に釦型電池９を収納し、この収納した状態で、釦型電池９がホルダー部材５の貫通孔５ｄ内に挿入されるように位置決めし、第１ケース２１の第１係合部２１ｄと、第２ケース２２の第２係合部２２ｃとをスナップイン係合すると共に、防水部材１０の鍔部１０ｅが、第１ケース２１の後部壁２１ａの内底面と第２ケース２２の側壁２２ｂの開放端との間に圧接された状態で保持されて組立が完了する。
【００７７】
ここで、次に、釦型電池９の交換方法について簡単に説明すると、一体化された第１ケース２１と第２ケース２２とからなる外ケース１の所望の個所をコイン（図示せず）などで分割するようにしてこじ開けて、第１ケース２１を第２ケース２２から取り外すようにする。
この状態で、分割された第１ケース２１内の釦型電池９は容易に交換することが出来る。
【００７８】
このとき、第２電気部品３ｂが遮蔽壁５ｃによって覆われているので、第２電気部品３ｂに指（図示せず）が触れ、第２電気部品３ｂが人に帯電した静電気などで静電破壊が生じることが無い配置となっている。
また、第１電気部品３ａは、プリント配線基板２によって、外部から遮蔽された配置となっている。
このようにして釦型電池９が交換されると、その後は、前述の如き組立方法と同様にして、第１ケース２１と第２ケース２２とを一体化する。
【００７９】
なお、上述の本発明のキーレスエントリー装置の携帯機の実施の形態では、ホルダー部材に巻き付けたアンテナ線を受信用のアンテナとし、プリント配線基板上に設けたアンテナ線を送信用のアンテナとしたが、これに限定されず、ホルダー部材に巻き付けたアンテナ線を送信用とし、プリント配線基板上に設けたアンテナ線を受信用としても良い。
【００８０】
また、本発明のキーレスエントリー装置の携帯機の実施の形態では、プリント配線基板に送信用、及び受信用のそれぞれの電気部品を配設したが、これに限定されず、プリント配線基板の表面側、及び裏面側に、例えば、送信用のみの電気部品を配設しても良い。
【００８１】
また、本発明のキーレスエントリー装置の携帯機の実施の形態では、プリント配線基板の表面側に送信用の電気部品を配設すると共に、プリント配線基板の裏面側に受信用の電気部品を配設したが、これに限定されず、表面側に受信用の電気部品を配設すると共に、裏面側に送信用の電気部品を配設しても良い。
【００８２】
【発明の効果】
以上のように、本発明のキーレスエントリー装置の携帯機は、外ケースと、外ケース内に収納されたプリント配線基板と、プリント配線基板の裏面側に一体化されて取り付けられ、環状の外周壁部を有するホルダー部材と、ホルダー部材内に収納された釦型電池とを備え、ホルダー部材の外周壁部には、アンテナ線を巻き付けことによって、アンテナ線が、ホルダー部材の外周壁部に巻き回されていることから、広い場所での巻回作業が出来るので、その巻回作業が容易で、生産性の良好なキーレスエントリー装置の携帯機を提供できる。
【００８３】
また、本発明のキーレスエントリー装置の携帯機は、ホルダー部材内に位置するプリント配線基板の裏面側には、電気部品が搭載され、ホルダー部材には、電気部品を覆う遮蔽壁と、釦型電池を出し入れするための貫通孔とが設けられ、電気部品が外周壁部と遮蔽壁部とによって形成された空間部内に配設されたことによって、プリント配線基板への電気部品の実装密度が高まり、小型化されたキーレスエントリー装置の携帯機を提供できる。
また、電気部品が外周壁部と遮蔽壁とによって形成された空間部内に配設されたことから、釦型電池を交換する際に、外ケースを開くようにするが、指が遮蔽壁によって遮蔽されているので直接電気部品に触れることが無くなり、電気部品の静電破壊を防止することができるキーレスエントリー装置の携帯機が提供できる。
【図面の簡単な説明】
【図１】本発明のキーレスエントリー装置の携帯機の実施の形態を示す分解斜視図である。
【図２】本発明のキーレスエントリー装置の携帯機の実施の形態に係わり、保持部材とエマージョンキーとを取り除いた状態を示す断面図である。
【図３】従来のキーレスエントリー装置の携帯機に係わり、エマージョンキーを取り除いた状態を示す断面図である。
【図４】従来のキーレスエントリー装置の携帯機に係わり、外ケースの第１ケースとアンテナ線とを示す斜視図である。
【符号の説明】
１    外ケース
２    プリント配線基板
２ａ  アンテナ線
３    電気部品
３ａ  第１電気部品
３ｂ  第２電気部品
４    押釦スイッチ
５    ホルダー部材
５ａ  外周壁部
５ｂ  溝部
５ｃ  遮蔽壁
５ｄ  貫通孔
５ｍ  空間部
５ｈ  導通ピン
６    アンテナ線
９    釦型電池
１０  防水部材
２１  第１ケース
２２  第２ケース
２３  空間部
【図１】
0003954823.tif 000002
【図２】
0003954823.tif 000003
【図３】
0003954823.tif 000004
【図４】
0003954823.tif 000005